(57)【要約】【課題】  弾性シート状綴じ具を、カレンダー部とカレンダー支持具前板とカレンダー支持具後板にそれぞれ設けたスリットに通して、弾性シート状綴じ具の端に形成した突片をカレンダー支持具後板に固定してカレンダーを綴じる。【解決手段】  複数枚の月日を表示しているカレンダー部の上部を、カレンダー支持具前板とカレンダー支持具後板で挟み、カレンダー支持具前板とカレンダー支持具後板に上部スリット及び下部スリットを設け、カレンダー部に切り取りスリットを設け、シート状綴じ具の下縁部をカレンダー支持具前板の下部スリット、カレンダー部スリット、カレンダー支持具後板の下部スリットに挿入し、上縁部をカレンダー支持具前板の上部スリット及びカレンダー支持具後板の上部スリットに挿入して、シート状綴じ具の隅に形成した突片で、カレンダー支持具後板に固定する。【選択図】図１
0003176388.tif 000002
【実用新案登録請求の範囲】
【請求項１】
複数枚の月日を表示しているカレンダー部の上部を、カレンダー支持具前板とカレンダー支持具後板で挟み、カレンダー支持具前板とカレンダー支持具後板にそれぞれ上下に間隔を空け、かつ横方向に伸びる上部スリット及び下部スリットを設け、カレンダー部に横方向に伸びる切り取りスリットを設け、シート状綴じ具の下縁部がカレンダー支持具前板の下部スリット、カレンダー部スリット、カレンダー支持具後板の下部スリットにそれぞれ挿入され、シート状綴じ具の上縁部がカレンダー支持具前板の上部スリット及びカレンダー支持具後板の上部スリットに挿入され、シート状綴じ具の隅に形成した突片が、カレンダー支持具後板に固定されていることを特徴とする壁掛けカレンダー。
【請求項２】
複数枚の月日を表示しているカレンダー部の上部を、カレンダー支持具前板とカレンダー支持具後板で挟み、カレンダー支持具前板とカレンダー支持具後板にそれぞれ上下に間隔を空け、かつ横方向に伸びる上部スリット及び下部スリットを設け、カレンダー部に横方向に伸びる切り取りスリットを設け、シート状綴じ具の下縁部がカレンダー支持具前板の下部スリット、カレンダー部スリット、カレンダー支持具後板の下部スリットにそれぞれ挿入され、シート状綴じ具の上縁部がカレンダー支持具前板の上部スリット及びカレンダー支持具後板の上部スリットに挿入され、シート状綴じ具の下縁部が、シート状綴じ具の上縁部またはカレンダー支持具後板に固定されていることを特徴とする壁掛けカレンダー。
【考案の詳細な説明】
【技術分野】
【０００１】  本考案は、壁掛けカレンダーに関する。
【背景技術】
【０００２】  従来の一般的な壁掛けカレンダーは、カレンダーを壁面に掛けて或いは吊り下げて使用するために、金具や樹脂の留め具でカレンダー上端を固定し、あるいはカレンダー上端を接着して冊子状に綴じていた。販促用途に社名などの広告を印刷する場合は、カレンダー上端を綴じて冊子状にしたカレンダーを１枚ずつ捲りながら、カレンダー下部の余白部分に印刷していた。
【先行技術文献】
【特許文献】
【０００３】
【特許文献１】
【考案の概要】
【考案が解決しようとする課題】
【０００４】  従来のカレンダーは、冊子状に出来上がったカレンダーに、１社ごとに企業名や広告をカレンダー枚葉下部に印刷していたので、それぞれの企業ごとに印刷版を作成しなければならず、印刷版作成と印刷に多くの費用や時間がかかるという問題があった。またカレンダーを構成している用紙枚数分を捲りながら印刷しており、正確な位置合わせが必要な多色印刷やカラー印刷などの訴求力のある印刷表示が難しく、印刷表現が限定的になるという不都合があった。また、冊子状に出来上がったカレンダーの下部に広告を印刷表示すると、他社用に転用することが出来ないことや、広告部分を切り取って使用されるという問題があった。さらに、金属の綴じ具を用いると廃棄する場合に分別の必要があった。【０００５】  本考案は上記の問題点を解決すべくなされたものであり、樹脂フィルム製で弾性シート状綴じ具（以下、弾性シート状綴じ具と表記する）を、カレンダー部とカレンダー支持具前板とカレンダー支持具後板にそれぞれ設けたスリットに通して、弾性シート状綴じ具の端に形成した突片をカレンダー支持具後板に引っ掛けて又は接着してカレンダーを綴じること。カレンダー部と綴じ部を分離し、カレンダー部と綴じ部を選択組み合わせ可能とすること。カレンダーの上部に配置された弾性シート状綴じ具に広告表示ができること。弾性シート状綴じ具を容易に交換出来ることを課題とする。
【課題を解決するための手段】
【０００６】  本考案は以上の問題を解決するためになされたものであって、第１の考案は、複数枚の月日を表示しているカレンダー部の上部を、カレンダー支持具前板とカレンダー支持具後板で挟み、カレンダー支持具前板とカレンダー支持具後板にそれぞれ上下に間隔を空け、かつ横方向に伸びる上部スリット及び下部スリットを設け、カレンダー部に横方向に伸びる切り取りスリットを設け、シート状綴じ具の下縁部がカレンダー支持具前板の下部スリット、カレンダー部スリット、カレンダー支持具後板の下部スリットのそれぞれに挿入され、シート状綴じ具の上縁部がカレンダー支持具前板の上部スリット及びカレンダー支持具後板の上部スリットに挿入され、シート状綴じ具の隅に形成した突片が、カレンダー支持具後板に固定されていることを特徴とするカレンダーである。【０００７】  第２の考案は、複数枚の月日を表示しているカレンダー部の上部を、カレンダー支持具前板とカレンダー支持具後板で挟み、カレンダー支持具前板とカレンダー支持具後板にそれぞれ上下に間隔を空け、かつ横方向に伸びる上部スリット及び下部スリットを設け、カレンダー部に横方向に伸びる切り取りスリットを設け、シート状綴じ具の下縁部がカレンダー支持具前板の下部スリット、カレンダー部スリット、カレンダー支持具後板の下部スリットにそれぞれ挿入され、シート状綴じ具の上縁部がカレンダー支持具前板の上部スリット及びカレンダー支持具後板の上部スリットに挿入され、シート状綴じ具の下縁部が、シート状綴じ具の上縁部またはカレンダー支持具後板に固定されていることを特徴とする壁掛けカレンダーである。
【考案の効果】
【０００８】  本考案による効果は、第１の考案によると、複数枚の月日を表示しているカレンダー部の上部を、カレンダー支持具前板とカレンダー支持具後板で挟み、カレンダー支持具前板とカレンダー支持具後板にそれぞれ上下に間隔を空け、かつ横方向に伸びる上部スリット及び下部スリットを設け、カレンダー部に横方向に伸びる切り取りスリットを設け、シート状綴じ具の下縁部がカレンダー支持具前板の下部スリット、カレンダー部スリット、カレンダー支持具後板の下部スリットのそれぞれに挿入され、シート状綴じ具の上縁部がカレンダー支持具前板の上部スリット及びカレンダー支持具後板の上部スリットに挿入され、シート状綴じ具の隅に形成した突片が、カレンダー支持具後板に固定されていることを特徴とするカレンダーであるから、カレンダー部のカレンダー枚葉数に関係なく、一冊に最低一枚の弾性シート状綴じ具を使用するだけで良く、この弾性シート状綴じ具は容易に交換が出来る。このためカレンダー部を共用とすれば、無駄なカレンダーが出来ない。【０００９】  第２の考案によると、複数枚の月日を表示しているカレンダー部の上部を、カレンダー支持具前板とカレンダー支持具後板で挟み、カレンダー支持具前板とカレンダー支持具後板にそれぞれ上下に間隔を空け、かつ横方向に伸びる上部スリット及び下部スリットを設け、カレンダー部に横方向に伸びる切り取りスリットを設け、シート状綴じ具の下縁部がカレンダー支持具前板の下部スリット、カレンダー部スリット、カレンダー支持具後板の下部スリットにそれぞれ挿入され、シート状綴じ具の上縁部がカレンダー支持具前板の上部スリット及びカレンダー支持具後板の上部スリットに挿入され、シート状綴じ具の下縁部が、シート状綴じ具の上縁部またはカレンダー支持具後板に固定されていることを特徴とする壁掛けカレンダーであるから、弾性シート状綴じ具とカレンダー支持具後板を接着固定してカレンダー部を綴じると、複数枚の月日を表示しているカレンダー部に厚手の用紙を使用しても、カレンダー部の重量を支えることが出来る上に、厚手の用紙を使用したカレンダー枚葉の切り取りに耐えることが出来る。【００１０】  また、弾性シート状綴じ具に使用している弾性シートは、弾性シート状綴じ具に有効な特性を持つ市販の樹脂フィルム製を用いることで、印刷インクによる印刷適性、コピー機もしくはレーザープリンターやインクジェットプリンターによる印刷適性、ボールペンや油性ペンによる手書き特性、抜き型による切り抜き特性、熱加工特性が良好であり、引き裂きに強いものである。また、プリンターやコピー機を使用して印刷する場合は、印刷版を作成しないので、印刷版の作成や保存に関する費用を必要としない。さらに、カレンダー支持具前板とカレンダー支持具後板が厚手の紙を使用しているので、壁掛けや吊り下げ用の大きめな穴をあけても十分な強さを得られる。
【図面の簡単な説明】
【００１１】
【図１】  本考案のカレンダーの第一の実施形態を斜め前方より見た斜視図
【図２】  カレンダー支持具前板とカレンダー支持具後板の平面図
【図３】  カレンダー部の正面図
【図４】  弾性シート状綴じ具の平面図
【図５】  本考案のカレンダーの正面図
【図６】  図５におけるＡ−Ａ′の断面図
【図７】  図６におけるＢ視のカレンダー支持具後板と弾性シート状綴じ具正面図
【図８】  弾性シート状綴じ具の第２の実施形態を表す平面図
【図９】  弾性シート状綴じ具の第３の実施形態を表す平面図
【図１０】  弾性シート状綴じ具の第４の実施形態を表す平面図
【考案を実施するための形態】
【００１２】  以下、本考案の実施の形態について、図面を参照して説明する。
図１に本考案のカレンダー実施形態の第１の例を示す。
このカレンダーは、例えば１月を１枚で構成した場合は表紙と併せて１３枚からなり、月日を表示するカレンダー部１に、図３に示す横方向に伸びる切り取りスリットＳ５と切り取りミシン目（ＣＬ１、ＣＬ２）を設け、カレンダー支持具２は、カレンダー支持具前板３とカレンダー支持具後板４からなり、図２に示すごとく中央に設けたミシン目Ｍで折り曲げる。カレンダー支持具前板３とカレンダー支持具後板４にそれぞれ上下に間隔を空け、かつ横方向に伸びる上部スリット（Ｓ１、Ｓ３）及び下部スリット（Ｓ２、Ｓ４）を設け、それぞれのスリット（図２に示すＳ１〜Ｓ４）は、同じ寸法で設けてある。
【００１３】  このカレンダー部１をカレンダー支持具前板３とカレンダー支持具後板４で挟み、図４に示す弾性シート状綴じ具５に形成した突片Ｔ１を折り曲げて、弾性シート状綴じ具５をカレンダー部１の切り取りスリットＳ５とカレンダー支持具前板３とカレンダー支持具後板４の下部スリット（Ｓ２、Ｓ４）に通し、カレンダー支持具前板３とカレンダー支持具後板４の上部スリット（Ｓ１、Ｓ３）に通して、カレンダー支持具後板４側で突片Ｔ１を曲げ戻して、カレンダー支持具後板４に引っ掛けて綴じる。カレンダー支持具前板３及びカレンダー支持具後板４のスリット幅（図２に示すＷＳ）より、弾性シート状綴じ具５の中央幅（図４に示すＷＭ）を僅かに小さくして、図６に示すように弾性シート状綴じ具５で綴じると、弾性シート状綴じ具５の端に形成した突片幅（図４に示すＷＴ）がスリット幅ＷＳより大きく、ＷＭ＞ＷＳ＞ＷＴの関係にあるので、弾性シート状綴じ具５がカレンダー支持具後板４のスリット（Ｓ３、Ｓ４）から抜けない。また弾性シート状綴じ具５は、レーザープリンターやインクジェットプリンターなどで広告等の印刷が自由に出来る。
【００１４】  また、カレンダー支持具前板３とカレンダー支持具後板４は、図２のようにスリット（Ｓ１〜Ｓ４）と壁掛け用の穴（Ｈ２、Ｈ３）が設けられ、破線で示すミシン目Ｍで二つ折りにした時に、カレンダー支持具前板３のスリット（Ｓ１、Ｓ２）とカレンダー支持具後板４のスリット（Ｓ３、Ｓ４）と、壁掛け用の穴（Ｈ２、Ｈ３）が、それぞれ同じ位置になるよう配置されてある。
【００１５】  また図７に示すのは、図６におけるカレンダー支持具後板４のＢ視正面であり、カレンダー支持具後板４の下部スリットＳ４から差し込んだ弾性シート状綴じ具５が、カレンダー部１の切り取りスリットＳ５とカレンダー支持具前板３の下部スリットＳ２を経由して、カレンダー支持具前板３の上部スリットＳ１とカレンダー支持具後板４の上部スリットＳ３に通され、折り曲げた突片Ｔ１を折り戻し、カレンダー支持具後板４に引っ掛けた状態である。この時、カレンダー部１の重量が大きければ、弾性シート状綴じ具５とカレンダー支持具後板４を接着固定すると良い。
【００１６】  さらに、図８、図９、図１０に示すのは、弾性シート状綴じ具５の形状を変化させた実施形態であり、図８は、弾性シート状綴じ具５の第２の実施形態を表す平面図である。弾性シート状綴じ具５の上縁部に突片（Ｔａ１、Ｔａ２）とスリットＳＡを設け、弾性シート状綴じ具５の下縁部に突片（Ｔｂ１、Ｔｂ２）を設けている。ここでスリットＳＡの左右幅ＷＳＡとスリットＳＡ挿入部幅ＷＴｂは、ＷＳＡ＞ＷＴｂである。この弾性シート状綴じ具５の下縁部をカレンダー支持具後板４の上部スリットＳ３から差し込み、カレンダー支持具前板３の上部スリットＳ１とカレンダー支持具前板３の下部スリットＳ２とカレンダー部１の切り取りスリットＳ５とカレンダー支持具後板４の下部スリットＳ４を経由して、突片Ｔｂ１を折り曲げてスリットＳＡに通し、折り曲げた突片Ｔｂ１を折り戻し、スリットＳＡに引っ掛けた状態で固定する。
【００１７】  図９は、弾性シート状綴じ具５の第３の実施形態を表す平面図である。弾性シート状綴じ具５の上縁部に突片（Ｔｃ１、Ｔｃ２）を設け、この弾性シート状綴じ具５の下縁部をカレンダー支持具後板４の上部スリットＳ３から差し込み、カレンダー支持具前板３の上部スリットＳ１とカレンダー支持具前板３の下部スリットＳ２とカレンダー部１の切り取りスリットＳ５とカレンダー支持具後板４の下部スリットＳ４を経由して通し、カレンダー支持具後板４または弾性シート状綴じ具５の上縁部に接着して固定する。このとき突片（Ｔｃ１、Ｔｃ２）は、カレンダー支持具後板４の上部スリットＳ３に引っ掛けた状態で固定される。
【００１８】  図１０は、弾性シート状綴じ具５の第４の実施形態を表す平面図である。突片を設けない弾性シート状綴じ具５の下縁部を、カレンダー支持具後板４の上部スリットＳ３から差し込み、カレンダー支持具前板３の上部スリットＳ１とカレンダー支持具前板３の下部スリットＳ２とカレンダー部１の切り取りスリットＳ５とカレンダー支持具後板４の下部スリットＳ４を経由して通し、カレンダー支持具後板４または弾性シート状綴じ具５の上縁部に接着して固定する。
【００１９】  また、カレンダー支持具２は、ミシン目を入れて折り曲げているので、連結部と非連結部が交互に連続し、連結部分の面積が少ないので、カレンダー支持具前板３とカレンダー支持具後板４が分離する可能性がある。このため、折り曲げ部に樹脂製の接着剤を塗布して補強すると良い。
【符号の説明】
【００２０】１    カレンダー部
２    カレンダー支持具
３    カレンダー支持具前板
４    カレンダー支持具後板
５    弾性シート状綴じ具
Ｓ１、Ｓ２    カレンダー支持具前板３のスリット
Ｓ３、Ｓ４    カレンダー支持具後板４のスリット
Ｓ５    カレンダー部１の切り取りスリット
【図１】
0003176388.tif 000003
【図２】
0003176388.tif 000004
【図３】
0003176388.tif 000005
【図４】
0003176388.tif 000006
【図５】
0003176388.tif 000007
【図６】
0003176388.tif 000008
【図７】
0003176388.tif 000009
【図８】
0003176388.tif 000010
【図９】
0003176388.tif 000011
【図１０】
0003176388.tif 000012